(57)【特許請求の範囲】
【請求項１】
互いに絶縁する複数の領域に分割された第１導電膜と、
前記第１導電膜と対向し、かつ離間する第２導電膜と、
前記複数の領域のうち第１領域の主領域からなる第１グループと、前記第１領域の引き出し配線及び前記複数の領域のうち第２領域からなる第２グループと、の各々ごとに前記第１導電膜と前記第２導電膜とが接触した点の座標を検出する制御部と、を具備し、
前記制御部は、複数の前記第１グループおよび第２グループの各々ごとに、前記第１導電膜と前記第２導電膜とが接触したか判断し、
前記複数の第１グループおよび第２グループのうち前記第１導電膜と前記第２導電膜とが接触したグループにおいて、前記第１導電膜と前記第２導電膜とが接触した点の座標を検出する動作を行い、
かつ前記複数の第１グループおよび第２グループのうち、前記第１導電膜と前記第２導電膜とが接触していないグループにおいては、前記座標を検出する動作を行わないタッチパネル。
【請求項２】
前記第１グループ及び前記第２グループは、前記複数の領域を行又は列のいずれか一方ごとにまとめてなるグループであり、
前記引き出し配線は前記行又は列のいずれか他方の方向に引き出されている請求項１記載のタッチパネル。
【請求項３】
前記第１グループ及び前記第２グループの各々に接続され、互いに遮蔽周波数が異なる複数のフィルタを備える請求項１又は２に記載のタッチパネル。
【請求項４】
前記第１導電膜と前記第２導電膜とが接触したことに応じて、前記複数の第１グループの各々を構成する複数の前記第１領域の主領域の各々から送信される信号を１つの信号として結合し、前記複数の第２グループの各々を構成する前記複数の第１領域の引き出し配線及び前記複数の第２領域の各々から送信される信号を別の１つの信号として結合する結合手段を備え、
前記制御部は前記結合手段により結合された前記１つの信号または前記別の１つの信号を受信したことに応じて、前記第１グループまたは前記第２グループにおいて前記第１導電膜と前記第２導電膜とが接触したと判断する請求項１から３いずれか一項記載のタッチパネル。
【請求項５】
前記制御部は、前記複数の領域のうち、第３領域と、第４領域と、前記第３領域及び前記第４領域との間に位置する第５領域の引き出し配線と、において前記第１導電膜と前記第２導電膜とが接触した場合であって、
前記第３領域において前記第１導電膜と前記第２導電膜とが接触した点の座標である第１の座標と、前記第４領域において前記第１導電膜と前記第２導電膜とが接触した点の座標である第２の座標との差、
及び前記第１の座標と、前記第５領域の引き出し配線において前記第１導電膜と前記第２導電膜とが接触した点の座標である第３の座標との差が、それぞれ所定の範囲内である場合、
前記第１の座標及び前記第２の座標とに基づき、第４の座標を出力する請求項１から４いずれか一項記載のタッチパネル。
【請求項６】
前記制御部は、前記第１の座標と前記第２の座標との平均の座標を前記第４の座標として出力する請求項５記載のタッチパネル。
【請求項７】
前記制御部は、前記第５領域の主領域において前記第１導電膜と前記第２導電膜とが接触した点の座標である第５の座標と、前記第４の座標とに基づき、第６の座標を検出し、
前記第４の座標と前記第６の座標とに基づき、前記第５の座標を出力する請求項５又は６記載のタッチパネル。
【請求項８】
前記制御部は、前記第４の座標と前記第５の座標との平均の座標を第６の座標とする請求項７記載のタッチパネル。
【請求項９】
互いに絶縁する複数の領域に分割された第１導電膜と、前記第１導電膜と対向し、かつ離間する第２導電膜とが接触した点の座標を検出する動作を、前記複数の領域のうち第１領域の主領域からなる第１グループにおいて行うステップと、
前記座標を検出する動作を前記第１領域の引き出し配線及び前記複数の領域のうち第２領域からなる第２グループにおいて行うステップと、
前記第１導電膜と前記第２導電膜とが接触したか、複数の前記第１グループ及び前記第２グループの各々ごとに判断するステップと、
前記複数の第１グループ及び第２グループのうち前記第１導電膜と前記第２導電膜とが接触したグループにおいて、前記第１導電膜と前記第２導電膜とが接触した点の座標を検出する動作を行うステップと、を有し、
前記複数の第１グループ及び第２グループのうち、前記第１導電膜と前記第２導電膜とが接触していないグループにおいては、前記座標を検出する動作を行わないタッチパネルの座標検出方法。
【請求項１０】
前記第１導電膜と前記第２導電膜とが、前記複数の領域のうち、第３領域と、第４領域と、前記第３領域及び前記第４領域との間に位置する第５領域の引き出し配線と、において接触した場合に、
前記第３領域において前記第１導電膜と前記第２導電膜とが接触した点の座標である第１の座標と、前記第４領域において前記第１導電膜と前記第２導電膜とが接触した点の座標である第２の座標との差、
及び前記第１の座標と、前記第５領域の引き出し配線において前記第１導電膜と前記第２導電膜とが接触した点の座標である第３の座標との差が、それぞれ所定の範囲内であるか判断するステップと、
前記第１の座標と前記第２の座標との差、及び前記第１の座標と前記第３の座標との差が前記所定の範囲内である場合、前記第１の座標及び前記第２の座標とに基づき、第４の座標を出力するステップと、を有する請求項９記載のタッチパネルの座標検出方法。
【請求項１１】
互いに絶縁する複数の領域に分割された第１導電膜と、前記第１導電膜と対向し、かつ離間する第２導電膜とが接触した点の座標を出力するステップと、
前記出力するステップの後に、前記出力するステップにおいて座標を出力した領域、及び前記座標を出力した領域の周辺の領域で、前記第１導電膜と前記第２導電膜とが接触した点の座標を検出するステップと、を有し、
前記座標を出力するステップにおいて座標を出力した場合、前記複数の領域のうち、前記座標を検出するステップで座標を検出した領域、及び前記周辺の領域以外の領域においては、前記座標を検出しない、タッチパネルの座標検出方法。
【発明の詳細な説明】
【技術分野】
【０００１】
本発明は、タッチパネル及びタッチパネルの座標検出方法に関する。
【背景技術】
【０００２】
抵抗膜方式のタッチパネルは、各々が透明な導電膜を備えた上部層と下部層とが対向して形成される。この方式のタッチパネルは、指やペン等でタッチパネルが押圧され、上部層の導電膜と下部層の導電膜とが接触し導通することにより、接触した点の座標を検出するものである。
【０００３】
特許文献１には、導電膜を透明導電ポリマー材で形成した抵抗膜方式タッチパネルが開示されている。特許文献２には、導電膜を導電ポリマーや金属酸化膜で形成した抵抗膜方式タッチパネルが開示されている。
【先行技術文献】
【特許文献】
【０００４】
【特許文献１】特開２００５−１８２７３７号公報
【特許文献２】特開２００８−１３５２９１号公報
【発明の概要】
【発明が解決しようとする課題】
【０００５】
導電膜を複数の領域に分割し、領域ごとにタッチを検出する多点入力モードのタッチパネルでは、領域ごとに座標検出に用いる電圧のディスチャージを行うため、高速な検出動作が困難な場合がある。
【０００６】
又は、例えばタッチパネルをタッチした指等をスライドさせてタッチパネル上で描画を行うことがある。このような描画モードにおいては、タッチパネルの処理速度が遅い場合、描画を円滑に行えないことがある。
【０００７】
又は、導電膜の分割された領域に、引き出し配線を含む領域がある場合、領域ごとにプルダウン抵抗値やフィルタの遮蔽周波数の変更をすることがある。プルダウン抵抗値やフィルタの遮蔽周波数変更の回数が多くなると、それだけタッチパネルの動作が遅くなる可能性がある。
【０００８】
又は、引き出し配線と引き出し配線以外の領域とが、またがってタッチされた場合、ユーザが意図しない入力があったと判断され、タッチパネルが誤作動を起こす可能性がある。
【０００９】
本発明は上記課題に鑑み、高速化が可能なタッチパネル及びタッチパネルの座標検出方法を提供すること、又は座標検出の精度向上が可能なタッチパネル及びタッチパネルの座標検出方法を提供することを目的とする。
【課題を解決するための手段】
【００１０】
本発明は、互いに絶縁する複数の領域に分割された第１導電膜と、前記第１導電膜と対向し、かつ離間する第２導電膜と、前記複数の領域のうち第１領域の主領域からなる第１グループと、前記第１領域の引き出し配線及び前記複数の領域のうち第２領域からなる第２グループと、の各々ごとに前記第１導電膜と前記第２導電膜とが接触した点の座標を検出する制御部と、を具備し、前記制御部は、複数の前記第１グループおよび第２グループの各々ごとに、前記第１導電膜と前記第２導電膜とが接触したか判断し、前記複数の第１グループおよび第２グループのうち前記第１導電膜と前記第２導電膜とが接触したグループにおいて、前記第１導電膜と前記第２導電膜とが接触した点の座標を検出する動作を行い、かつ前記複数の第１グループおよび第２グループのうち、前記第１導電膜と前記第２導電膜とが接触していないグループにおいては、前記座標を検出する動作を行わないタッチパネルである。本発明によれば、領域ごとに電位差を補正しなくてよく、またフィルタの遮蔽周波数を変更しなくてよいため、タッチパネルの高速化が可能となる。また、各領域について順次制御を行う場合よりも、タッチＯＮチェックや座標検出の制御の回数が少なくなる。従って、タッチパネルの高速化が可能となる。
【００１１】
上記構成において、前記第１グループ及び前記第２グループは、前記複数の領域を行又は列のいずれか一方ごとにまとめてなるグループであり、前記引き出し配線は前記行又は列のいずれか他方の方向に引き出されている構成とすることができる。この構成によれば、タッチパネルの高速化が可能となる。
【００１４】
上記構成において、前記第１グループ及び前記第２グループの各々に接続され、互いに遮蔽周波数が異なる複数のフィルタを備える構成とすることができる。この構成によれば、領域ごとにフィルタの遮蔽周波数を変更しなくてよいため、タッチパネルのさらなる高速化が可能となる。
【００１５】
上記構成において、前記第１導電膜と前記第２導電膜とが接触したことに応じて、前記複数の第１グループの各々を構成する複数の前記第１領域の主領域の各々から送信される信号を１つの信号として結合し、前記複数の第２グループの各々を構成する前記複数の第１領域の引き出し配線及び前記複数の第２領域の各々から送信される信号を別の１つの信号として結合する結合手段を備え、前記制御部は前記結合手段により結合された前記１つの信号または前記別の１つの信号を受信したことに応じて、前記第１グループまたは前記第２グループにおいて前記第１導電膜と前記第２導電膜とが接触したと判断する構成とすることができる。この構成によれば、簡単な構成により、自動的に第１導電膜と第２導電膜とが接触したグループを判断でき、座標を検出する動作を行うことができる。
【００１６】
上記構成において、前記制御部は、前記複数の領域のうち、第３領域と、第４領域と、前記第３領域及び前記第４領域との間に位置する第５領域の引き出し配線と、において前記第１導電膜と前記第２導電膜とが接触した場合であって、前記第３領域において前記第１導電膜と前記第２導電膜とが接触した点の座標である第１の座標と、前記第４領域において前記第１導電膜と前記第２導電膜とが接触した点の座標である第２の座標との差、及び前記第１の座標と、前記第５領域の引き出し配線において前記第１導電膜と前記第２導電膜とが接触した点の座標である第３の座標との差が、それぞれ所定の範囲内である場合、前記第１の座標及び前記第２の座標とに基づき、第４の座標を出力する構成とすることができる。この構成によれば、引き出し配線を含む複数の領域において座標が検出された場合でも、検出された座標に基づき定めた座標を出力する。従って、タッチパネルの座標検出の精度が向上する。特に引き出し配線での入力は無視し、１点において入力があったと判断されるため、誤作動を抑制することが可能となる。
【００１７】
上記構成において、前記制御部は、前記第１の座標と前記第２の座標との平均の座標を前記第４の座標として出力する構成とすることができる。この構成によれば、タッチパネルの座標検出の精度が向上する。
【００１８】
上記構成において、前記制御部は、前記第５領域の主領域において前記第１導電膜と前記第２導電膜とが接触した点の座標である第５の座標と、前記第４の座標とに基づき、第６の座標を検出し、前記第４の座標と前記第６の座標とに基づき、前記第５の座標を出力する構成とすることができる。この構成によれば、２箇所において座標が検出された場合でも、実際に入力があった点の座標を出力することができる。従って、タッチパネルの座標検出の精度が向上し、誤作動を抑制することが可能となる。
【００１９】
上記構成において、前記制御部は、前記第４の座標と前記第５の座標との平均の座標を第６の座標とする構成とすることができる。この構成によれば、タッチパネルの座標検出の精度が向上し、誤作動を抑制することが可能となる。
【００２２】
本発明は、互いに絶縁する複数の領域に分割された第１導電膜と、前記第１導電膜と対向し、かつ離間する第２導電膜とが接触した点の座標を検出する動作を、前記複数の領域のうち第１領域の主領域からなる第１グループにおいて行うステップと、前記座標を検出する動作を前記第１領域の引き出し配線及び前記複数の領域のうち第２領域からなる第２グループにおいて行うステップと、前記第１導電膜と前記第２導電膜とが接触したか、複数の前記第１グループ及び前記第２グループの各々ごとに判断するステップと、前記複数の第１グループ及び第２グループのうち前記第１導電膜と前記第２導電膜とが接触したグループにおいて、前記第１導電膜と前記第２導電膜とが接触した点の座標を検出する動作を行うステップと、を有し、前記複数の第１グループ及び第２グループのうち、前記第１導電膜と前記第２導電膜とが接触していないグループにおいては、前記座標を検出する動作を行わないタッチパネルの座標検出方法である。本発明によれば、領域ごとに電位差を補正しなくてよく、またフィルタの遮蔽周波数を変更しなくてよいため、タッチパネルの高速化が可能となる。また、各領域について順次制御を行う場合よりも、タッチＯＮチェックや座標検出の制御の回数が少なくなる。従って、タッチパネルの高速化が可能となる。
【００２４】
上記構成において、前記第１導電膜と第２導電膜とが、前記複数の領域のうち、第３領域と、第４領域と、前記第３領域及び前記第４領域との間に位置する第５領域の引き出し配線と、において接触した場合に、前記第３領域において前記第１導電膜と前記第２導電膜とが接触した点の座標である第１の座標と、前記第４領域において前記第１導電膜と前記第２導電膜とが接触した点の座標である第２の座標との差、及び前記第１の座標と、前記第５領域の引き出し配線において前記第１導電膜と前記第２導電膜とが接触した点の座標である第３の座標との差が、それぞれ所定の範囲内であるか判断するステップと、前記第１の座標と前記第２の座標との差、及び前記第１の座標と前記第３の座標との差が前記所定の範囲内である場合、前記第１の座標及び前記第２の座標とに基づき、第４の座標を出力するステップと、を有する構成とすることができる。この構成によれば、引き出し配線を含む複数の領域において座標が検出された場合でも、検出された座標に基づき定めた座標を出力する。従って、タッチパネルの座標検出の精度が向上する。特に引き出し配線での入力は無視し、１点において入力があったと判断されるため、誤作動を抑制することが可能となる。
【００２５】
本発明は、互いに絶縁する複数の領域に分割された第１導電膜と、前記第１導電膜と対向し、かつ離間する第２導電膜とが接触した点の座標を出力するステップと、前記出力するステップの後に、前記出力するステップにおいて座標を出力した領域、及び前記座標を出力した領域の周辺の領域で、前記第１導電膜と前記第２導電膜とが接触した点の座標を検出するステップと、を有し、前記座標を出力するステップにおいて座標を出力した場合前記複数の領域のうち、前記座標を検出するステップで座標を検出した領域、及び前記周辺の領域以外の領域においては、前記座標を検出しない、タッチパネルの座標検出方法である。本発明によれば、分割された領域の全てに対して順次座標の検出を行う場合よりも、タッチパネルの高速化が可能となる。
【発明の効果】
【００２６】
本発明によれば、高速化が可能なタッチパネル及びタッチパネルの座標検出方法を提供すること、又は座標検出の精度向上が可能なタッチパネル及びタッチパネルの座標検出方法を提供することができる。
【図面の簡単な説明】
【００２７】
【図１】図１（ａ）及び図１（ｂ）はタッチパネルの構成を例示する斜視図であり、図１（ｃ）はタッチパネルの構成を例示する平面図である。
【図２】図２は実施例１に係るタッチパネルを例示するブロック図である。
【図３】図３は領域選択部２０の構成を例示する図である。
【図４】図４は比較例に係るタッチパネルの制御を例示するフローチャートである。
【図５】図５はタッチＯＮチェックの制御を例示するフローチャートである。
【図６】図６は実施例１に係るタッチパネルの制御を例示するフローチャートである。
【図７】図７は実施例１に係るタッチパネルの制御を例示するフローチャートである。
【図８】図８は実施例１に係るタッチパネルの制御を例示するフローチャートである。
【図９】図９は実施例１の変形例に係るタッチパネルの制御を例示するフローチャートである。
【図１０】図１０（ａ）及び図１０（ｂ）は実施例２に係るタッチパネルを例示する平面図である。
【図１１】図１１は実施例２に係るタッチパネルの制御を例示するフローチャートである。
【図１２】図１２は実施例２に係るタッチパネルの制御を例示するフローチャートである。
【図１３】図１３は実施例２に係るタッチパネルの制御を例示するフローチャートである。
【図１４】図１４は、実施例２の変形例に係るタッチパネルの制御を例示するフローチャートである。
【図１５】図１５は、実施例２の変形例に係るタッチパネルの制御を例示するフローチャートである。
【図１６】図１６は、実施例２の変形例に係るタッチパネルの制御を例示するフローチャートである。
【図１７】図１７は、実施例２の変形例に係るタッチパネルの制御を例示するフローチャートである。
【図１８】図１８は、実施例２の変形例に係るタッチパネルの制御を例示するフローチャートである。
【図１９】図１９は、実施例２の変形例に係るタッチパネルの制御を例示するフローチャートである。
【図２０】図２０は、実施例２の変形例に係るタッチパネルの制御を例示するフローチャートである。
【図２１】図２１は、実施例２の変形例に係るタッチパネルの制御を例示するフローチャートである。
【図２２】図２２は、実施例２の変形例に係るタッチパネルの制御を例示するフローチャートである。
【図２３】図２３（ａ）は引き出し配線を備えるタッチパネル３００を例示する平面図であり、図２３（ｂ）は引き出し配線部分を例示する拡大図である。
【図２４】図２４は実施例３に係るタッチパネルの領域選択部及びフィルタ部を例示するブロック図である。
【図２５】図２５は実施例３に係るタッチパネルの制御を例示するフローチャートである。
【図２６】図２６（ａ）から図２６（ｃ）は実施例４に係る領域選択部を例示する図である。
【図２７】図２７は実施例４に係るタッチパネルの制御を例示するフローチャートである。
【図２８】図２８（ａ）は実施例５に係るタッチパネルの引き出し配線部分を例示する拡大図であり、図２８（ｂ）は実施例５の変形例に係るタッチパネルの引き出し配線部分を例示する拡大図である。
【図２９】図２９は実施例５に係るタッチパネルの制御を例示するフローチャートである。
【発明を実施するための形態】
【００２８】
図面を用いて、本発明の実施例について説明する。
【実施例１】
【００２９】
最初に、タッチパネルの構成について説明する。図１（ａ）及び図１（ｂ）はタッチパネルの構成を例示する斜視図であり、図１（ｃ）はタッチパネルの構成を例示する平面図である。
【００３０】
図１（ａ）は抵抗膜５線式のタッチパネルを例示する斜視図である。図１（ａ）に示すように、タッチパネル１００は第１導電膜２、第２導電膜４、電極６，８，１０及び１２を備える。第１導電膜２と第２導電膜４とが互いに対向し、かつ離間して配置されている。第１導電膜２及び第２導電膜４はそれぞれ、例えばＩＴＯ（Ｉｎｄｉｕｍ  Ｔｉｎ  Ｏｘｉｄｅ：酸化インジウム・スズ）や有機導電ポリマー等の導電体からなる。第２導電膜４は、例えばＡｇ等の金属からなる電極６，８，１０及び１２を備える。電極６，８，１０及び１２の各々は第２導電膜４の周辺部に、辺に沿って配置されている。すなわち電極６及び８、並びに電極１０及び１２は、互いに対向する一組の電極である。第１導電膜２、電極６，８，１０及び１２には、それぞれ電圧を印加することができる。
【００３１】
抵抗膜５線式のタッチパネルの原理について説明する。電極６,８,１０及び１２のいずれか、ここでは例えば電極６に電源電圧Ｖｃｃを印加する。第１導電膜２にはプルダウン抵抗を接続する。第１導電膜２と第２導電膜４とが接触すると、Ｖｃｃが印加された電極６とプルダウン抵抗とが接続され、プルダウン抵抗にかかる電位が高電位となり、高電位となったことにより第１導電膜２と第２導電膜４とが接触したことが検出される。ここで、電極６に対向する電極８に電圧Ｖｓｓを印加すると、電極６と電極８との間に電位差が発生する。電極から第１導電膜２と第２導電膜４とが接触した点（図の点線の部分）までの距離に応じて、導電膜の抵抗が変わるため、電極間に発生した電圧から第１導電膜２と第２導電膜４とが接触した点の座標を検出することができる。図１（ａ）の構成では、電極６及び電極８に電圧を印加してＸ座標を検出し、電極１０及び電極１２に電圧を印加してＹ座標を検出する。
【００３２】
図１（ｂ）は、実施例１に係るタッチパネル１００を例示する斜視図であり、図１（ｃ）は図１（ｂ）のタッチパネル１００を第１導電膜２の上から見た平面図である。また、図１（ｃ）には後述するＸ，Ｙの方向を図示する。図１（ｂ）及び図１（ｃ）に示すように、第１導電膜２は、格子状に４行４列の１６の領域に分割されている。領域はＦ１１〜Ｆ４４とする。各領域は互いに絶縁されており、また領域ごとにプルダウン抵抗に接続される。このため、領域ごとに第１導電膜２と第２導電膜４との接触を検出することができる。すなわち実施例１に係るタッチパネル１００は多点入力式タッチパネルである。
【００３３】
次にタッチパネルの制御装置の構成について説明する。図２はタッチパネルの制御装置の構成を例示するブロック図である。
【００３４】
図２に示すように、制御装置１４は、制御部１６、電極制御部１８、領域選択部２０、フィルタ部２２、Ａ／Ｄ（Ａｎａｌｏｇ／Ｄｉｇｉｔａｌ：アナログ／デジタル）変換部２４、及びインターフェース部２６を備える。
【００３５】
電極制御部１８は、図１（ａ）から図１（ｃ）に示した電極６,８,１０及び１２の各々に接続されており、各電極に電圧を印加し、また印加した電圧を除去する。領域選択部２０は、第１導電膜２と接続されており、第１導電膜２の分割された領域を選択する。領域選択部２０は、第１導電膜２と第２導電膜４とが接触したことにより、第１導電膜２の選択された領域が送信する信号を受信する。フィルタ部２２は例えば複数のローパスフィルタを備える。フィルタ部２２は、第１導電膜２が送信する信号を、領域選択部２０を介して受信し、ノイズを除去してＡ／Ｄ変換部２４に送信する。Ａ／Ｄ変換部２４は、第１導電膜２が送信し、フィルタ部２２によりノイズカットされた信号を、アナログ信号からデジタル信号へと変換する。
【００３６】
制御部１６は、例えばマイコンであり、電極制御部１８、領域選択部２０、及びインターフェース部２６を制御する。また、Ａ／Ｄ変換部２４が送信する信号を受信し、受信した信号に基づいて、領域Ｆ１１〜Ｆ４４のいずれの領域において第１導電膜２と第２導電膜４とが接触したか判断する。また制御部１６は、第１導電膜２と第２導電膜４とが接触した点の座標を出力する。すなわち、制御部１６は、受信した信号から座標変換を行う。インターフェース部２６は、制御部１６が出力した座標の情報を、タッチパネル１００に接続された例えばコンピュータ等の外部機器に出力する。
【００３７】
次に、領域選択部２０の構成例について説明する。図３は領域選択部２０の構成を例示する図である。
【００３８】
図３に示すように、領域Ｆ１１〜Ｆ１４はマルチプレクサ３０に、領域Ｆ２１〜Ｆ２４はマルチプレクサ３２に、領域Ｆ３１〜Ｆ３４はマルチプレクサ３４に、領域Ｆ４１〜Ｆ４４はマルチプレクサ３６に、それぞれ接続されている。マルチプレクサ３０〜３６の各々は、接続された領域が送信する信号を受信し、また制御部１６が送信するセレクト信号を受信する。また、マルチプレクサ３０〜３６の各々の出力側は、フィルタ部２２に接続され、かつトランジスタ３８及びプルダウン抵抗４０を介して接地されている。すなわちトランジスタ３８のコレクタに接続されている。トランジスタ３８のエミッタはプルダウン抵抗４０を介して接地され、トランジスタ３８のベースには制御部１６からの信号が入力する。マルチプレクサ３０〜３６が受信した各エリアからの信号のうち、セレクト信号により選択された信号は、フィルタ部２２に送信され、かつトランジスタ３８を介してプルダウン抵抗４０に入力する。これにより、プルダウン抵抗４０には高電位が加わり、第１導電膜２と第２導電膜４とが接触したことが検出される。
【００３９】
次に、実施例１に係るタッチパネルの制御について説明する。実施例の説明の前に、まず比較例について説明する。図４は、比較例に係るタッチパネルの制御を例示するフローチャートである。なお、図１（ｂ）及び図１（ｃ）に示した第１導電膜２の分割された領域のうち、ｍ行ｎ列目の領域をＦｍｎと表すこととする。
【００４０】
図４に示すように、制御部１６は領域選択部２０を、行番号をｍ＝１、列番号をｎ＝１とし領域Ｆ１１が制御の対象となるように、制御する（ステップＳ１）。ステップＳ１の後、制御部１６は、領域Ｆｍｎにおいて第１導電膜２と第２導電膜４とが接触したかチェックする動作を行う（ステップＳ２）。つまり、領域Ｆ１１から開始して、領域Ｆｍｎごとにチェックの対象となる。なお、フローチャートでは、第１導電膜２と第２導電膜４とが接触したかチェックする動作を「タッチＯＮチェック」と表記する。
【００４１】
ここで、タッチＯＮチェックの制御についてフローチャートを用いて説明する。図５はタッチＯＮチェック制御を例示するフローチャートである。
【００４２】
図５に示すように、電極制御部１８は、電極６に電圧Ｖｃｃを印加する（ステップＳ１４）。ステップＳ１４の後、領域選択部２０は領域Ｆｍｎをプルダウン抵抗Ｒと接続する（ステップＳ１５）。ステップＳ１５の後、制御部１６はプルダウン抵抗Ｒの電位が高電位であるか判断する（ステップＳ１６）。ステップＳ１６においてＹｅｓの場合、制御部１６は領域Ｆｍｎにおいて第１導電膜２と第２導電膜４とが接触したと判断する（ステップＳ１７）。ステップＳ１６においてＮｏの場合、制御部１６は領域Ｆｍｎにおいて第１導電膜２と第２導電膜４とが接触していないと判断する（ステップＳ１８）。ステップＳ１７及びＳ１８の後、制御は終了する。
【００４３】
図４に戻り、ステップＳ２後の制御について説明する。ステップＳ２の後、制御部１６は領域Ｆｍｎにおいて第１導電膜２と第２導電膜４とが接触したか判断する（ステップＳ３）。なお、第１導電膜２と第２導電膜４とが接触したことを「タッチＯＮ」と表記する。Ｎｏの場合、後述するステップＳ１０に進む。
【００４４】
Ｙｅｓの場合、電極制御部１８は電極６にＶｃｃ、電極８にＶｓｓを、それぞれ印加する（ステップＳ４）。これを「電極６＝Ｖｃｃ，電極８＝Ｖｓｓ」と表記する。後述する電極１０及び電極１２についても同様とする。ステップＳ４の後、制御部１６は第１導電膜２と第２導電膜４とが接触した点のＸ座標を検出する（ステップＳ５）。ステップＳ５の後、制御部１６は電極６及び電極８のそれぞれに印加された電圧を除去（ディスチャージ）する（ステップＳ６）。ステップＳ６の後、電極制御部１８は電極１０にＶｃｃ、電極１２にＶｓｓを印加する（ステップＳ７）。ステップＳ７の後、制御部１６は領域Ｆ１１のＹ座標を検出する（ステップＳ８）。ステップＳ８の後、制御部１６は電極１０及び電極１２のディスチャージを行う（ステップＳ９）。
【００４５】
ステップＳ９の後、及びステップＳ３においてＮｏの場合、制御部１６はｍがＭＡＸであるか判断する（ステップＳ１０）。ここで「ＭＡＸ」とは、分割された領域に付された行番号ｍのうち最大のものをいう。つまり図１（ｃ）の例では、ｍがＭＡＸであるとは、ｍ＝４のことをいう。Ｎｏの場合、制御部１６は領域選択部２０を、行番号ｍを１つ増やすように制御する（ステップＳ１１）。ステップＳ１１の後、制御はステップＳ２に戻り、制御部１６は領域Ｆ２１に対してステップＳ２以降の制御を行う。
【００４６】
ステップＳ１０においてＹｅｓの場合、つまりｍ＝４である場合、制御部１６はｎがＭＡＸであるか判断する（ステップＳ１２）。ここで「ＭＡＸ」とは、分割された領域に付された列番号ｎのうち最大のものをいう。つまりｎ＝４がＭＡＸとなる。Ｎｏの場合、制御部１６は領域選択部２０を、行番号をｍ＝１とし、かつ列番号ｎを１つ増やすように制御する（ステップＳ１３）。ステップＳ１３の後、制御はステップＳ２に戻り、制御部１６は領域Ｆ１２に対してステップＳ２以降の制御を行う。ステップＳ１３においてＹｅｓの場合、制御は終了する。
【００４７】
図４に示した比較例では、各領域においてタッチＯＮチェック（ステップＳ２）、Ｘ座標の取り込み（ステップＳ５）及びＹ座標の取り込み（ステップＳ８）を順次行う。図４のステップＳ６及びＳ９に示すように、Ｘ座標の取り込みとＹ座標の取り込みとの間には、ディスチャージを行う。ディスチャージには一定の時間がかかる。従って、複数の領域において導電膜が接触した場合、その領域の数に応じて、ディチャージの回数も増加する。また、領域の数が多くなるほど、図４のステップＳ２以降の制御を繰り返すことになる。この結果、タッチパネルの動作が遅くなる可能性がある。このように、多点入力式のタッチパネルでは、タッチパネルの高速化に問題があった。
【００４８】
次に、実施例１に係るタッチパネルの制御について説明する。図６及び図７は実施例１に係るタッチパネルの制御を例示するフローチャートである。
【００４９】
図６に示すように、まず制御部１６は各領域のフラグをリセットする（ステップＳ２０）。ステップＳ２０の後、制御部１６は図４のステップＳ１〜Ｓ３の制御を行う。つまり制御部１６は、領域Ｆ１１から開始して、領域Ｆｍｎごとに、第１導電膜２と第２導電膜４とが接触したか判断する。ステップＳ３においてＮｏの場合、後述するステップＳ２４に進む。Ｙｅｓの場合、制御部１６はタッチＯＮであると判断された領域Ｆｍｎにフラグをセットする（ステップＳ２１）。
【００５０】
ステップＳ２１の後、制御部１６は電極制御部１８を、電極６にＶｃｃ、電極８にＶｓｓを印加するように制御する（ステップＳ２２）。ステップＳ２２の後、制御部１６は、領域Ｆｍｎにおいて、第１導電膜２と第２導電膜４とが接触した点のＸ座標を検出する（ステップＳ２３）。ステップＳ２３の後、ステップＳ２４に進む。ステップＳ２４〜Ｓ２７は図４のステップＳ１０〜Ｓ１３と同じである。すなわち、Ｘ座標を検出した後、制御部１６は、ステップＳ３においてタッチＯＮであると判断された領域とは別の領域において、第１導電膜２と第２導電膜４とが接触したか判断する。
【００５１】
ステップＳ２６においてＹｅｓの場合、制御部１６は電極制御部１８を、電極６及び電極８のそれぞれに印加した電圧をディスチャージするように制御する（ステップＳ２８）。すなわち、制御部１６は、領域Ｆｍｎの各々においてＸ座標を検出した後に、電極６及び電極８のそれぞれに印加した電圧を除去する。ステップＳ２８の後、図７のステップＳ２９に進む（図中の“Ａ”参照）。
【００５２】
図７に示すように、ステップＳ２８の後、制御部１６は電極制御部１８を、電極１０にＶｃｃ、電極１２にＶｓｓをそれぞれ印加するように制御する（ステップＳ２９）。ステップＳ２９の後、制御部１６は、行番号をｍ＝１、列番号をｎ＝１とする（ステップＳ３０）。ステップＳ３０の後、制御部１６は領域Ｆｍｎのいずれかにフラグがセットされているかチェックする（ステップＳ３１）。ステップＳ３１の後、制御部１６はフラグのセットがされているか判断する（ステップＳ３２）。
【００５３】
Ｙｅｓの場合、制御部１６は、フラグがセットされた領域において、第１導電膜２と第２導電膜４とが接触した点のＹ座標を検出する（ステップＳ３３）。すなわち、制御部１６は、第１導電膜２と第２導電膜４とが接触した領域を記憶し、記憶した領域においてＹ座標を検出する。ステップＳ３３の後、又はステップＳ３２においてＮｏの場合、ステップＳ３４に進む。ステップＳ３４〜Ｓ３７は図４のステップＳ１０〜Ｓ１３と同じである。ステップＳ３６においてＹｅｓの場合、制御部１６は電極制御部１８を、電極１０及び電極１２のそれぞれに印加した電圧をディスチャージするように制御する（ステップＳ３８）。ステップＳ３８の後、制御は終了する。
【００５４】
実施例１によれば、領域Ｆｍｎの各々においてＸ座標を検出した後ディスチャージを行い、その後に領域Ｆｍｎの各々においてＹ座標を検出した後ディスチャージを行うため、領域の数に関らずディスチャージは２回だけとなる（図６のステップＳ２８及び図７のステップＳ３８）。つまり、ディスチャージの回数を減らすことにより、タッチパネルの高速化が可能となる。また、第１導電膜２と第２導電膜４とが接触した領域を記憶し、記憶した領域においてＹ座標の検出を行う（図６のステップＳ２１及び図７のステップＳ３３）。第１導電膜２と第２導電膜４とが接触しているか判断し直さなくてよいため、タッチパネルの更なる高速化が可能となる。
【００５５】
次に、実施例１の変形例について説明する。図８及び図９は、実施例１の変形例に係るタッチパネルの制御を例示するフローチャートである。
【００５６】
図８に示すように、ステップＳ２０、Ｓ１〜３及びＳ２１は、図６に示したものと同じ制御である。ステップＳ２０においてＮｏの場合、又はステップＳ２１の後、ステップＳ２４に進む。ステップＳ２４〜Ｓ２７も、図６に示したものと同じである。言い換えれば、図８に示す制御は、図６に示した制御とは、電圧の印加（ステップＳ２２）、Ｘ座標の検出（ステップＳ２３）、及びディスチャージ（ステップＳ２８）を行わない点で相違する。ステップＳ２６においてＹｅｓの場合、図９のステップＳ２９に進む（図中の“Ｂ”参照）。
【００５７】
図９に示すように、制御部１６は電極制御部１８を、電極６にＶｃｃ、電極８にＶｓｓをそれぞれ印加するように制御する（ステップＳ２９）。ステップＳ２９の後、制御部１６は、行番号をｍ＝１、列番号をｎ＝１とする（ステップＳ３０）。ステップＳ３０の後は、図７に示したステップＳ３１及びＳ３２と同じ制御を行う。ステップＳ３２においてＹｅｓの場合、制御部１６は第１導電膜２と第２導電膜４とが接触した点のＸ座標を検出する（ステップＳ４０）。
【００５８】
ステップＳ４０の後、又はステップＳ３２においてＮｏの場合、ステップＳ２４に進む。ステップＳ２４〜Ｓ２７は、図６に示したものと同じである。ステップＳ２６においてＹｅｓの場合、制御部１６は電極制御部１８を、電極６及び電極８のそれぞれに印加した電圧をディスチャージするように制御する（ステップＳ４１）。すなわち制御部１６は、図８に示すように領域Ｆｍｎの各々において第１導電膜２と第２導電膜４とが接触したか判断した後に、図９に示すように領域Ｆｍｎの各々においてＸ座標を検出する。ステップＳ４１の後、図７のステップＳ２９に進む（図中の“Ａ”参照）。図７に示すステップＳ３８の後、制御は終了する。
【００５９】
実施例１の変形例によれば、領域Ｆｍｎの各々においてＸ座標を検出した後ディスチャージを行った後、領域Ｆｍｎの各々においてＹ座標を検出し、その後ディスチャージを行う。このため、領域の数に関らずディスチャージは２回だけとなる。従って、タッチパネルの高速化が可能となる。また実施例１の変形例によれば、複数の領域の各々においてタッチＯＮチェックをした後、領域の各々においてＸ座標の検出をし、さらにその後にＹ座標の検出を行う。従って、図６のステップＳ３〜Ｓ２３のように、タッチＯＮチェックとＸ座標の検出とを繰り返さなくてよい。従って、タッチパネルの更なる高速化が可能となる。
【００６０】
実施例１ではＸ座標をＹ座標より先に検出する制御を説明したが、Ｙ座標をＸ座標より先に検出してもよい。つまり、Ｘ座標又はＹ座標のいずれか一方を検出した後に、電圧を除去し、その後にＸ座標又はＹ座標のいずれか他方を検出することで、ディスチャージの回数を低減でき、タッチパネルの高速化が可能となる。
【００６１】
図１（ｂ）及び図１（ｃ）に例示するように、第１導電膜２を１６の領域に分割した例について説明したが、より多くの領域又は少ない領域に分割してもよい。また、行数と列数とは異なっていてもよい。図３では、複数の領域を行ごとに１つのマルチプレクサ及びプルダウン抵抗に接続したが、接続の方法はこれに限られず、例えば列ごととしてもよい。
【実施例２】
【００６２】
次に、実施例２について説明する。図１０（ａ）は実施例２に係るタッチパネル２００を例示する平面図であり、図１０（ｂ）は実施例２の変形例に係るタッチパネル２１０を例示する平面図である。なお、図１０（ｂ）には後述するベクトルの方向の例も図示する。まず図１０（ａ）の例について説明する。
【００６３】
多点入力式のタッチパネルにおいても、１点入力モードが用いられることがある。タッチパネル２００は、１点入力モードである。タッチパネルにおいては、例えば指等によりタッチパネルをタッチした状態で、指等をスライドさせてタッチパネル上で描画を行うことがある。このような描画モードにおいては、描画を円滑に行うため、タッチパネルの高速化が要求されている。この点について、図１０（ａ）を参照して説明する。
【００６４】
図１０（ａ）に示すように、タッチパネル２００の第１導電膜２はＦ１１〜Ｆ４４の領域に分割されている。例えば領域Ｆ２２がタッチされた場合、描画モードにおいては指等が領域Ｆ２２から移動し、領域Ｆ２２に隣接する領域もタッチされる。このとき、領域Ｆ１１から順次座標検出を行うと、指等の移動に対してタッチパネルの処理速度が遅くなり、描画を円滑に行えないことがある。
【００６５】
実施例２に係るタッチパネル２００では、図中に網掛けで示す領域Ｆ２２において第１導電膜２と第２導電膜４とが接触した場合、次の動作では領域Ｆ２２、並びに領域Ｆ２２に隣接する領域であるＦ１１〜Ｆ１３、Ｆ２１、Ｆ２３、及びＦ３１〜Ｆ３３（図中の斜線の領域）において、第１導電膜２と第２導電膜４とが接触したか、他の領域に優先して判断する。
【００６６】
次に、フローチャートを参照し、実施例２に係るタッチパネル２００の動作について、より詳細に説明する。図１１から図１３は、実施例２に係るタッチパネルの制御を例示するフローチャートである。
【００６７】
図１１に示すステップＳ１〜Ｓ３、及びステップＳ２４〜Ｓ２７は同じ制御である。ステップＳ３においてＮｏの場合、制御はステップＳ２４に進み、ステップＳ２６においてＹｅｓの場合、制御は終了する。ステップＳ３においてＹｅｓの場合、つまり領域Ｆｍｎにおいて第１導電膜２と第２導電膜４とが接触した場合、制御部１６は領域Ｆｍｎにおいて第１導電膜２と第２導電膜４とが接触した点のＸ座標、及びＹ座標を出力する（ステップＳ５０）。Ｘ座標及びＹ座標の出力は、例えば図４に示したステップＳ４〜Ｓ９の制御により行われる。
【００６８】
ステップＳ５０の後、図１２のステップＳ５１に進む（図中の“Ｃ”参照）。制御部１６は領域Ｆｍｎ、つまりステップＳ３においてタッチＯＮと判断された領域において、第１導電膜２と第２導電膜４とが接触したかチェックする（ステップＳ５１）。ステップＳ５１の後、制御部１６は第１導電膜２と第２導電膜４とが接触したか判断する（ステップＳ５２）。ステップＳ５２においてＹｅｓの場合、制御部１６は、第１導電膜２と第２導電膜４とが接触した点のＸ座標、及びＹ座標を出力する（ステップＳ５３）。すなわち制御部１６は、ステップＳ５０において第１導電膜２と第２導電膜とが接触した点の座標を出力した場合、座標を出力した動作（ステップＳ５０）の次の動作においては複数の領域のうち、ステップＳ５０において座標を出力した領域Ｆｍｎにおいて、タッチＯＮチェック、及び座標の検出を行う。ステップＳ５３の後、制御は図１４のステップＳ７６に進む（図１２及び図１４の“Ｃ１”参照）。Ｃ１に進んだ後の制御は、後述する実施例２の変形例において説明する。
【００６９】
ステップＳ５２においてＮｏの場合、制御部１６はｍが１より大きいか判断する（ステップＳ５４）。Ｎｏの場合、制御部１６はｐ＝ｍとする（ステップＳ５５）。なお、ステップＳ５４においてＮｏとなるのは、図１１のステップＳ３において１行目の領域がタッチＯＮと判断された場合である。Ｙｅｓの場合、制御部１６はｐ＝ｍ−１とする（ステップＳ５６）。
【００７０】
ステップＳ５５又はＳ５６の後、制御部１６はｎが１より大きいか判断する（ステップＳ５７）。Ｎｏの場合、制御部１６はｑ＝ｎとする（ステップＳ５８）。なお、ステップＳ５７においてＮｏとなるのは、図１１のステップＳ３において１列目の領域がタッチＯＮと判断された場合である。Ｙｅｓの場合、制御部１６はｑ＝ｎ−１とする（ステップＳ５９）。
【００７１】
ステップＳ５８又はＳ５９の後、制御部１６はｍがＭＡＸより小さいか判断する（ステップＳ６０）。ここでＭＡＸとは行番号のうち最大のものである４である。Ｎｏの場合、制御部１６はｒ＝ｍとする（ステップＳ６１）。なお、ステップＳ６０においてＮｏとなるのは、図１１のステップＳ３において４行目の領域がタッチＯＮと判断された場合である。Ｙｅｓの場合、制御部１６はｒ＝ｍ＋１とする（ステップＳ６２）。
【００７２】
ステップＳ６１又はＳ６２の後、制御部１６はｎがＭＡＸより小さいか判断する（ステップＳ６３）。ここでＭＡＸとは列番号のうち最大のものである４である。ステップＳ６３においてＮｏの場合、制御部１６はｓ＝ｎとする（ステップＳ６４）。なお、ステップＳ６３においてＮｏとなるのは、図１１のステップＳ３において４列目の領域がタッチＯＮと判断された場合である。ステップＳ６３においてＹｅｓの場合、制御部１６はｓ＝ｎ＋１とする（ステップＳ６５）。ステップＳ６５の後、制御は図１３のステップＳ６６に進む（図中の“Ｄ”参照）。
【００７３】
制御部１６はｐｐ＝ｐとする（ステップＳ６６）。つまり、制御部１６はステップＳ５５又はＳ５６において設定されたｐの値を記憶する。ステップＳ６６の後、制御部１６はｐ＝ｍかつｑ＝ｎであるか判断する（ステップＳ６７）。Ｎｏの場合、制御部１６は領域Ｆｐｑにおいて第１導電膜２と第２導電膜４とが接触したか、つまりタッチＯＮチェックの制御を行う（ステップＳ６８）。ステップＳ６８の後、制御部１６は、領域Ｆｐｑにおいて第１導電膜２と第２導電膜４とが接触したか判断する（ステップＳ６９）。すなわち制御部１６は、領域Ｆｍｎに隣接する領域Ｆｐｑにおいて第１導電膜２と第２導電膜４とが接触したか判断する。
【００７４】
ステップＳ６９においてＹｅｓの場合、制御部１６は、領域Ｆｐｑにおいて第１導電膜２と第２導電膜４とが接触した点のＸ座標、及びＹ座標を出力する（ステップＳ７０）。すなわち制御部１６は、領域Ｆｍｎに隣接する領域Ｆｐｑにおいて座標を出力する。ステップＳ７０の後、制御部１６は、ｍ＝ｐ、及びｎ＝ｑとする。ステップＳ７１の後、制御は図１３のステップＳ５１に戻る（図中の“Ｃ”参照）。言い換えれば制御部１６は、領域Ｆｍｎに隣接する領域Ｆｐｑにおいて座標を出力した場合、領域Ｆｐｑ以外の領域では座標の出力を行わない。
【００７５】
ステップＳ６７においてＹｅｓの場合、又はステップＳ６９においてＮｏの場合、制御部１６はｐ＝ｒであるか判断する（ステップＳ７２）。Ｎｏの場合、制御部１６はｐ＝ｐ＋１とする（ステップＳ７３）。すなわち領域Ｆｐｑの行を１つ後の行とする。ステップＳ７３の後、制御はステップＳ６７に戻る。すなわち、制御部１６は、ステップＳ６９においてタッチＯＮか判断された領域Ｆｐｑより１つ後の行の領域について、ステップＳ６７以降の制御を行う。
【００７６】
ステップＳ７２においてＹｅｓの場合、制御部１６はｑ＝ｓであるか判断する（ステップＳ７４）。Ｎｏの場合、制御部１６はｐ＝ｐｐ及びｑ＝ｑ＋１とする（ステップＳ７５）。ここでｐｐは、ステップＳ６９においてタッチＯＮか判断された領域Ｆｐｑの行番号ｐである（ステップＳ６６及びＳ６９参照）。
【００７７】
ステップＳ７５の後、制御はステップＳ６７に戻る。言い換えれば、制御部１６は、ステップＳ６９においてタッチＯＮか判断された領域と同じ行であって、１つ後の列に位置する領域Ｆｐｑについて、ステップＳ６７以降の制御を行う。上記の制御が繰り返され、ステップＳ７４においてＹｅｓの場合、制御は終了する。すなわち図１１のステップＳ５０において座標が出力された領域Ｆｍｎに隣接する領域についてタッチＯＮチェックをした後、制御は終了する。
【００７８】
以上の制御を、具体的に図１０（ａ）を参照して説明する。例えば領域Ｆ２２において座標が出力された場合（図１１のステップＳ５０）、制御部１６は領域Ｆ１１において第１導電膜２と第２導電膜４とが接触したか判断する（図１３のステップＳ６８及びＳ６９）。ステップＳ６９においてＹｅｓの場合、領域Ｆ１１において座標が出力され、図１２の制御に戻る。Ｎｏの場合、制御部１６は領域Ｆ２１についてステップＳ６７以降の制御を行う（ステップＳ７２及びＳ７３）。ステップＳ６７〜Ｓ７３が繰り返され、領域Ｆ３３について制御が行われた後、制御は終了する。すなわち、制御部１６は領域Ｆ２２及び領域Ｆ２２に隣接する領域について座標を検出する制御を行い、他の領域については座標を検出する制御を行わない。
【００７９】
実施例２によれば、領域Ｆｍｎにおいて座標を出力した場合（図１１のステップＳ５０）、次の動作（図１２のステップＳ５１以降）では、制御部１６は、座標が出力された領域であるＦｍｎ、及びＦｍｎに隣接する領域Ｆｐｑにおいて、第１導電膜２と第２導電膜４とが接触した点の座標を検出する（図１３のステップＳ６８〜Ｓ７０）。また、制御部１６は、領域Ｆｍｎにおいて座標を出力した場合（図１１のステップＳ５０）、領域Ｆｍｎ、及びＦｍｎに隣接する領域Ｆｐｑ以外の領域ではタッチＯＮチェックを行わない（図１３のステップＳ７２及びＳ７４）。すなわち制御部１６は、複数の領域のうち領域Ｆｍｎ及びＦｍｎに隣接する領域Ｆｐｑ以外の領域では、座標を検出しない。また、領域Ｆｐｑにおいて座標を出力した場合（ステップＳ６９においてＹｅｓの場合）、領域Ｆｍｎ及びＦｍｎに隣接する領域のうち、既にタッチＯＮチェックを行った領域以外の領域についても座標を検出しない。すなわち、タッチパネル２００は１点入力式タッチパネルである。
【００８０】
以上のように、前に座標を検出した領域Ｆｍｎ及び隣接する領域を、他の領域に優先して座標を検出するため、分割された領域の全てに対して順次座標の検出を行う場合よりも、タッチパネルの高速化が可能となる。また、座標を検出した時点で、既にタッチＯＮチェックを行った領域以外の領域について座標の検出は行わない。結果的にタッチパネルの高速化が可能となり、描画モードにおいても入力に対し迅速に描画することができる。また実施例２に係るタッチパネル２００は、より微細な描画にも対応可能である。
【００８１】
次に実施例２の変形例について説明する。図１０（ｂ）に示すように、例えば図中に網掛けで示した領域Ｆ２２において第１導電膜２と第２導電膜４とが接触し、その後タッチパネルを押圧している例えば指等がスライドし、領域Ｆ２２に隣接する領域においても第１導電膜２と第２導電膜４とが接触した場合を考える。実施例２の変形例に係るタッチパネル２１０では、例えば領域Ｆ２２から領域Ｆ１３の方向にスライドしながら押圧がされた場合、次の動作では領域Ｆ２２、及び領域Ｆ２２から領域Ｆ１３へと向かう方向に沿った領域、つまり図中に斜線で示した領域Ｆ１２，Ｆ１３並びにＦ２３において、第１導電膜２と第２導電膜４とが接触したか判断する。
【００８２】
次に、フローチャートを参照し、実施例２の変形例に係るタッチパネルの制御について、より詳細に説明する。図１４から図２２は、実施例２の変形例に係るタッチパネルの制御を例示するフローチャートである。図１１に示した制御は、実施例２の変形例についても行われる。
【００８３】
図１４及び図１２に示すように、図１２のステップＳ５３の後、制御は図１４のステップＳ７６に進む（図中の“Ｃ１”参照）。制御部１６は、領域Ｆｍｎから、Ｆｍｎと隣接する座標が出力された領域に向かうベクトルを検出する（ステップＳ７６）。言い換えれば、制御部１６は領域Ｆｍｎ及び隣接する領域において座標を出力した動作に基づき方向を定める。
【００８４】
ステップＳ７６の後、制御部１６はステップＳ７６において定めたベクトルの方向が０°〜９０°であるか判断する（ステップＳ７７）。Ｙｅｓの場合、図１５のステップＳ８０に進む（図中の“Ｅ”参照）。
【００８５】
Ｎｏの場合、制御部１６はステップＳ７６において定めたベクトルの方向が９０°〜１８０°であるか判断する（ステップＳ７８）。Ｙｅｓの場合、図１７のステップＳ８０に進む（図中の“Ｆ”参照）。
【００８６】
Ｎｏの場合、制御部１６はステップＳ７６において定めたベクトルの方向が１８０°〜２７０°であるか判断する（ステップＳ７９）。Ｙｅｓの場合、図１９のステップＳ８０に進む（図中の“Ｇ”参照）。
【００８７】
Ｎｏの場合、制御部１６はステップＳ７６において定めたベクトルの方向が２７０°〜３６０°であると判断し、図２１のステップＳ８０に進む（図中の“Ｈ”参照）。
【００８８】
次にベクトルの方向が０°〜９０°である場合について説明する。図１５及び図１６は、ベクトルの方向が０°〜９０°である場合の制御を例示するフローチャートである。
【００８９】
図１５に示すように、制御部１６は、図１１のステップＳ５０において座標が出力された領域Ｆｍｎにおいて、タッチＯＮチェックを行う（ステップＳ８０）。ステップＳ８１の後、制御部１６は領域ＦｍｎにおいてタッチＯＮか判断する。Ｙｅｓの場合、制御部１６はＸ座標及びＹ座標を出力する（ステップＳ８２）。ステップＳ８２の後、制御は図１３のステップＳ６６に戻る（図中の“Ｄ”参照）。
【００９０】
ステップＳ８１においてＮｏの場合、制御部１６はｍが１より大きいか判断する（ステップＳ８３）。Ｎｏの場合、つまり領域Ｆｍｎが１行目に位置する領域である場合、制御部１６はｎがＭＡＸより小さいか判断する（ステップＳ８４）。Ｙｅｓの場合、後述する図１６のステップＳ９４に進む（図中の“Ｊ”参照）。Ｎｏの場合、つまり領域Ｆｍｎが４列目に位置する領域である場合、制御は終了する（図中の“Ｋ”、及び図１６参照）。
【００９１】
ステップＳ８３においてＹｅｓの場合、制御部１６は領域Ｆｍ−１ｎにおいてタッチＯＮチェックを行う（ステップＳ８５）。すなわち、制御部１６は領域Ｆｍｎより１つ前の行に位置する領域においてタッチＯＮチェックを行う。ステップＳ８５の後、制御部１６は領域Ｆｍ−１ｎにおいてタッチＯＮか判断する（ステップＳ８６）。
【００９２】
Ｙｅｓの場合、制御部１６はＸ座標及びＹ座標を出力する（ステップＳ８７）。ステップＳ８７の後、制御部１６はｍ＝ｍ−１とする（ステップＳ８８）。ステップＳ８８の後、制御は図１３のステップＳ６６に戻る（図中の“Ｄ”参照）。ステップＳ８６においてＮｏの場合、制御は図１６のステップＳ８９に進む（図中の“Ｉ”参照）。
【００９３】
図１６に示すように、ステップＳ８６においてＮｏの場合、制御部１６はｎ＜ＭＡＸか判断する（ステップＳ８９）。Ｎｏの場合、制御は終了する。Ｙｅｓの場合、制御部１６は領域Ｆｍ−１ｎ＋１においてタッチＯＮチェックを行う（ステップＳ９０）。すなわち制御部１６は領域Ｆｍｎより１つ前の行、及び１つ後の列に位置する領域においてタッチＯＮチェックを行う。制御部１６は領域Ｆｍ−１ｎ＋１においてタッチＯＮか判断する（ステップＳ９１）。
【００９４】
Ｙｅｓの場合、制御部１６はＸ座標及びＹ座標を出力する（ステップＳ９２）。ステップＳ９２の後、制御部１６はｍ＝ｍ−１及びｎ＝ｎ＋１とする（ステップＳ９３）。ステップＳ９３の後、制御は図１４のステップＳ７６に戻る（図中の“Ｃ１”参照）。
【００９５】
ステップＳ９１においてＮｏの場合、制御部１６は領域Ｆｍｎ＋１においてタッチＯＮチェックを行う（ステップＳ９４）。また、図１５のステップＳ８４においてＹｅｓの場合も、制御部１６はステップＳ９４の制御を行う。すなわち制御部１６は領域Ｆｍｎより１つ後の列に位置する領域においてタッチＯＮチェックを行う。ステップＳ９４の後、制御部１６は領域Ｆｍｎ＋１においてタッチＯＮか判断する（ステップＳ９５）。
【００９６】
Ｙｅｓの場合、制御部１６はＸ座標及びＹ座標を出力する（ステップＳ９６）。ステップＳ９６の後、制御部１６はｎ＝ｎ＋１とする（ステップＳ９７）。ステップＳ９７の後、制御は図１４のステップＳ７６に戻る（図中の“Ｃ１”参照）。ステップＳ９５においてＮｏの場合、制御は終了する。
【００９７】
次に、ベクトルの方向が９０°〜１８０°である場合について説明する。図１７及び図１８は、ベクトルの方向が９０°〜１８０°である場合の制御を例示するフローチャートである。図１５及び図１６に示した制御と同様の制御については説明を省略する。
【００９８】
図１７のステップＳ８３においてＮｏの場合、制御部１６はｎが１より小さいか判断する（ステップＳ９８）。Ｙｅｓの場合は、後述する図１８のステップＳ１０５に進む（図中の“Ｌ”参照）。Ｎｏの場合は、制御は終了する（図中の“Ｍ”及び図１８参照）。
【００９９】
ステップＳ８３においてＹｅｓの場合、制御部１６は領域Ｆｍ−１ｎにおいてタッチＯＮチェックを行い（ステップＳ９９）、領域Ｆｍ−１ｎにおいてタッチＯＮか判断する（ステップＳ１００）。すなわち、制御部１６は領域Ｆｍｎより１つ前の行に位置する領域においてタッチＯＮチェックを行う。Ｙｅｓの場合、ステップＳ８７及びＳ８８を行い、制御は図１４のステップＳ７６に戻る（図中の“Ｃ１”参照）。Ｎｏの場合、制御は図８のステップＳ１０１に進む（図中の“Ｎ”参照）。
【０１００】
図１８に示すように、ステップＳ１００の後、制御部１６はｎが１より大きいか判断する（ステップＳ１０１）。Ｎｏの場合、制御は終了する。Ｙｅｓの場合、制御部１６は領域Ｆｍ−１ｎ−１においてタッチＯＮチェックを行い（ステップＳ１０２）、領域Ｆｍ−１ｎ−１においてタッチＯＮか判断する（ステップＳ１０３）。すなわち、制御部１６は領域Ｆｍｎより１つ前の行、及び１つ前の列に位置する領域においてタッチＯＮチェックを行う。
【０１０１】
ステップＳ１０３においてＹｅｓの場合、制御部１６は座標を出力し（ステップＳ９２）、ｍ＝ｍ−１及びｎ＝ｎ−１とする（ステップＳ１０４）。その後、制御は図１４のステップＳ７６に戻る（図中の“Ｃ１”参照）。
【０１０２】
ステップＳ１０３においてＮｏの場合、制御部１６は領域Ｆｍｎ−１においてタッチＯＮチェックを行い（ステップＳ１０５）、領域Ｆｍｎ−１においてタッチＯＮか判断する（ステップＳ１０６）。すなわち、制御部１６は領域Ｆｍｎより１つ前の列に位置する領域においてタッチＯＮチェックを行う。具体的には、図１１のステップＳ５０で例えば領域Ｆ２２において座標が出力された場合、ステップＳ１０５では領域Ｆ２１においてタッチＯＮチェックが行われる。ステップＳ１０６においてＹｅｓの場合、制御部１６は座標を出力し（ステップＳ９６）、ｎ＝ｎ−１とする（ステップＳ１０７）。ステップＳ１０６においてＮｏの場合、制御は終了する。
【０１０３】
次に、ベクトルの方向が１８０°〜２７０°である場合について説明する。図１９及び図２０は、ベクトルの方向が１８０°〜２７０°である場合の制御を例示するフローチャートである。上記した制御と同様の制御については説明を省略する。
【０１０４】
図１９及び図２０に示すように、ベクトルの方向が１８０°〜２７０°である場合は、制御部１６は領域Ｆｍｎより１つ後の行に位置する領域であるＦｍ＋１ｎ（図１９のステップＳ１０９）、１つ後の行及び１つ前の列に位置する領域であるＦｍ＋１ｎ−１（図２０のステップＳ１１２）、並びに１つ前の列に位置する領域であるＦｍｎ−１においてタッチＯＮチェックを行う（図２０のステップＳ１０５）。
【０１０５】
次に、ベクトルの方向が２７０°〜３６０°である場合について説明する。図２１及び図２２は、ベクトルの方向が２７０°〜３６０°である場合の制御を例示するフローチャートである。上記した制御と同様の制御については説明を省略する。
【０１０６】
図２１及び図２２に示すように、ベクトルの方向が２７０°〜３６０°である場合は、制御部１６は領域Ｆｍｎより１つ後の行に位置する領域であるＦｍ＋１ｎ（図２１のステップＳ１０９）、１つ後の行及び１つ後の列に位置する領域であるＦｍ＋１ｎ＋１（図２２のステップＳ１１２）、並びに１つ後の列に位置する領域であるＦｍｎ＋１においてタッチＯＮチェックを行う（図２２のステップＳ１０５）。
【０１０７】
以上の制御を、具体的に図１０（ｂ）を参照して説明する。例えば領域Ｆ２２において座標が出力され（図１１のステップＳ５０）、かつ領域Ｆ３３において座標が出力された場合（図１３のステップＳ７０）、制御部１６は上記の座標を出力した動作に基づき方向を算出する（図１４のステップＳ７６）。ここでは、２７０°〜３６０°が方向となる（ステップＳ７９においてＮｏ）。制御部１６は、領域Ｆ２２において第１導電膜２と第２導電膜４とが接触したか判断する（図２１のステップＳ８０及びＳ８１）。Ｙｅｓの場合、領域Ｆ２２において座標が出力され、図１４のステップＳ７６に戻る。Ｎｏの場合、領域Ｆ３２，Ｆ３３及びＦ２３においてタッチＯＮチェックが行われる（図２２のステップＳ１０９、図２２のステップＳ１１２及びＳ９５）。ステップＳ９５においてＮｏの場合、制御は終了する。すなわち、制御部１６は領域Ｆ２２及び領域Ｆ２２から２７０°〜３６０°の方向に沿った領域において座標を検出する制御を行い、他の領域については座標を検出する制御を行わない。
【０１０８】
実施例２の変形例によれば、領域Ｆｍｎにおいて座標を出力した場合（図１１のステップＳ５０）、次の動作（図１２のステップＳ５１以降）では、制御部１６は、図１４の動作に基づき定められた方向に沿った領域において、座標を検出する。このため、タッチパネルの高速化が可能となる。特に、タッチパネルをスライドしながら押圧する場合、例えば描画入力モードなどでは、入力に対し迅速に描画することができる。
【０１０９】
図１０（ｂ）の例では、ベクトルの方向はタッチパネル２１０の辺の方向に沿った４つの方向としたが、これに限定されない。つまり方向は４つより少なくてもよいし、多くてもよい。また、タッチパネルの辺に沿った方向でなくてもよい。実施例２及び実施例２の変形例では、領域Ｆｍｎに隣接する領域において座標を検出するとしたが、これに限定されない。例えば、領域Ｆｍｎの２行又は／及び２列周辺の領域、３行又は／及び３列周辺の領域でもよい。つまり領域Ｆｍｎの周辺の領域について座標を検出することで、タッチパネルの高速化が可能となる。
【実施例３】
【０１１０】
次に実施例３について説明する。まず、引き出し配線を備えるタッチパネルについて説明する。図２３（ａ）は引き出し配線を備えるタッチパネル３００を例示する平面図であり、図２３（ｂ）は引き出し配線部分を例示する拡大図である（図２３（ａ）の点線部分参照）。
【０１１１】
図２３（ａ）及び図２３（ｂ）に示すように、第１導電膜２は複数の領域に分割され、領域の各々はプルダウン抵抗と接続するための配線４１を備えている。配線４１はタッチパネル上辺及び下辺に沿って設けられている。このため、複数の領域のうち領域Ｆ２１〜Ｆ２４、及び領域Ｆ３１〜Ｆ３４は、各々が列方向に引き出された引き出し配線を有している。つまり図２３（ｂ）に示すように、例えば領域Ｆ３１（第１領域）は主領域Ｆ３１ａと引き出し配線Ｆ３１ｂとを備える。引き出し配線Ｆ３１ｂは領域Ｆ４１に隣接して形成されている。言い換えれば、引き出し配線Ｆ３１ｂは、領域Ｆ４１及びＦ４２の間に形成されている。これに対し、領域Ｆ４１（第２領域）はタッチパネルの下辺に接しているため、引き出し配線は備えていない。なお、領域Ｆ２１〜Ｆ２４の引き出し配線はタッチパネルの上辺側に引き出されており、領域Ｆ１１〜Ｆ１４は引き出し配線を備えていない。
【０１１２】
引き出し配線Ｆ３１ｂの幅は、主領域Ｆ３１ａの幅よりも小さいため、引き出し配線Ｆ３１ｂの抵抗は主領域Ｆ３１ａの抵抗より高くなる。このため、領域Ｆ３１の抵抗は領域Ｆ４１の抵抗より高くなる。この結果、領域Ｆ３１と領域Ｆ４１とでは、プルダウン抵抗に加わる電位に差が生じる。電位の差を補正するために、例えばプルダウン抵抗の値を変更して領域Ｆ３１から送信される信号と領域Ｆ４１から送信される信号とを、同程度の電位とすることがある。また、補正の方法として領域Ｆ３１から送信される信号にオフセットの電圧を加えることもある。さらに、領域Ｆ３１から送信される信号に生じるノイズを除去するため、フィルタを領域Ｆ３１に接続する場合と、領域Ｆ４１に接続する場合とで、フィルタの遮蔽周波数を異ならせることがある。具体的には、領域Ｆ３１に接続する場合は、領域Ｆ４１に接続する場合よりも、フィルタの通過帯域を低周波側にする。
【０１１３】
しかしながら、プルダウン抵抗値やフィルタの遮蔽周波数変更の回数が多くなると、それだけタッチパネルの動作が遅くなる可能性がある。特に、フィルタは遮蔽周波数変更後、動作が安定するまでに一定の時間が必要である。従って、複数の領域について順次座標を検出する動作を行うと、タッチパネルの動作が遅くなる可能性がある。
【０１１４】
次に実施例３に係るタッチパネルのタッチパネルについて説明する。実施例３に係るタッチパネルでは、複数の領域を行ごとにグループにまとめ、座標検出の制御もグループごとに行う。すなわち、領域Ｆ２１〜Ｆ２４の主領域、領域Ｆ３１〜Ｆ３４の主領域は、それぞれグループ（第１グループ）を形成する。領域Ｆ１１〜Ｆ１４と領域Ｆ２１〜Ｆ２４の引き出し配線、及び領域Ｆ４１〜Ｆ４４と領域Ｆ３１〜Ｆ３４の引き出し配線とは、それぞれグループ（第２グループ）を形成する。
【０１１５】
次に、実施例３に係るタッチパネルの領域選択部及びフィルタ部について説明する。図２４は実施例３に係るタッチパネルの領域選択部及びフィルタ部を例示するブロック図である（図２参照）。
【０１１６】
図２４に示すように、領域選択部２０は複数のマルチプレクサ３０，３２，３４及び３６を備える。フィルタ部２２は複数のフィルタ４２，４４，４６及び４８を備える。フィルタ４２〜４８の各々はローパスフィルタである。
【０１１７】
領域Ｆ１１〜Ｆ４４は行ごとにグループを形成し、複数のグループの各々は、複数のマルチプレクサ３０〜３６の各々に接続されている。マルチプレクサ３０〜３６の各々は、フィルタ４２〜４８の各々に接続されている。マルチプレクサは、各領域が送信する信号、及び制御部１６が送信するセレクト信号を受信する（図２参照）。マルチプレクサ３０は、セレクト信号により、領域Ｆ１１〜Ｆ１４の各領域が送信する信号から、座標の検出を行う領域の信号を選択することができる。マルチプレクサ３２〜３６についても同様である。つまり、領域選択部２０は行ごとにまとめられたグループから、領域を選択することができる。
【０１１８】
また、第１グループに接続されたフィルタ４４及び４６は、第２グループに接続されたフィルタ４２及び４８よりも通過帯域が低周波側にある。つまり、第１グループと第２グループとは、互いに遮蔽周波数が異なる複数のフィルタに接続される。
【０１１９】
次に、実施例３に係るタッチパネルの制御について説明する。図２５は実施例３に係るタッチパネルの制御を例示するフローチャートである。
【０１２０】
図２５に示すように、まず制御部１６は１行目においてタッチＯＮチェックを行う（ステップＳ１２０）。ステップＳ１２０の後、制御部１６は、１行目の各領域においてＸ座標及びＹ座標の検出を行う（ステップＳ１２１）。つまり、制御部１６は図４に示したステップＳ４〜Ｓ９の制御を行う。
【０１２１】
ステップＳ１２１の後、制御部１６は２行目においてタッチＯＮチェックを行う（ステップＳ１２２）。ステップＳ１２２の後、制御部１６は、２行目の各領域においてＸ座標及びＹ座標の検出を行う（ステップＳ１２３）。ステップＳ１２３の後、３行目及び４行目について、同様の制御を行い（ステップＳ１２４〜Ｓ１２７）、制御は終了する。
【０１２２】
実施例３によれば、複数の領域は、引き出し配線を含むグループと、引き出し配線を含まないグループとにまとめられ、各グループは遮蔽帯域の異なるフィルタに接続される。制御部１６は上記のグループごとに座標を検出する。従って、領域ごとに電位差を補正しなくてよく、またフィルタの遮蔽周波数を変更しなくてよいため、タッチパネルの高速化が可能となる。
【０１２３】
図２４に示すように、実施例３では、グループごとに異なるフィルタに接続しているが、構成はこれに限定されない。例えば図２３（ａ）に示すように、領域Ｆ２１〜Ｆ２４、及び領域Ｆ３１〜Ｆ３４はいずれも引き出し配線を備えているため、抵抗は高くなる。従って、領域Ｆ２１〜Ｆ３４を同じフィルタに接続してもよい。また、いずれも引き出し配線を備えていない領域Ｆ１１〜Ｆ１４及び領域Ｆ４１〜Ｆ４４を同じフィルタに接続してもよい。これにより、フィルタの数を少なくできるため、タッチパネルの小型化、及び低コスト化が可能となる。図２３（ａ）に示すように、実施例３では引き出し配線を列方向に引き出しているが、行方向に引き出してもよく、この場合は列ごとにまとめてグループとする。また、引き出し配線は行列以外の方向に引き出されていてもよい。
【実施例４】
【０１２４】
次に実施例４について説明する。実施例４においても、例えば図２３（ａ）のように、第１導電膜２は複数の領域に分割され、複数の領域のうち領域Ｆ２１〜Ｆ２４、及び領域Ｆ３１〜Ｆ３４は、各々が列方向に引き出された引き出し配線を有している。領域Ｆ１１〜Ｆ４４は、行ごとにグループにまとめられている。すなわち、領域Ｆ２１〜Ｆ２４の主領域、領域Ｆ３１〜Ｆ３４の主領域は、それぞれグループ（第１グループ）を形成する。領域Ｆ１１〜Ｆ１４と領域Ｆ２１〜Ｆ２４の引き出し配線、及び領域Ｆ４１〜Ｆ４４と領域Ｆ３１〜Ｆ３４の引き出し配線とは、それぞれグループ（第２グループ）を形成する。
【０１２５】
次に実施例４に係る領域選択部の構成について説明する。図２６（ａ）から図２６（ｃ）は実施例４に係る領域選択部を例示する図である。各図においては、領域選択部２０のうち、領域Ｆ１１〜Ｆ１４に係る部分を図示している。
【０１２６】
図２６（ａ）に示すように、領域選択部２０のマルチプレクサ３０は領域Ｆ１１〜Ｆ１４に接続されている。すなわち、領域は行ごとにグループにまとめられ、１つのマルチプレクサに接続されている。またマルチプレクサ３０は、第１導電膜２と第２導電膜４とが接触したことに応じて領域Ｆ１１〜Ｆ１４が送信する信号、及び制御部１６が送信するセレクト信号を受信する。また、領域Ｆ１１〜Ｆ１４の各々が送信する信号は、複数のダイオード５０の各々に入力する。複数のダイオード５０の出力側はノード５１により１つの配線にまとめられている。言い換えればノード５１は、第１導電膜２と第２導電膜４とが接触したことに応じて領域Ｆ１１〜Ｆ１４から送信される信号を１つの信号（以下「結束信号」）として結合する結合手段として機能する。ダイオード５０は、出力側の信号が入力側に逆流することを抑制する。例えばダイオード５０は、領域Ｆ１１が送信する信号が逆流して領域Ｆ１２〜Ｆ１４に接続された配線に流れることを抑制する。領域Ｆ１１〜Ｆ１４が送信する信号は、ダイオード５０を介してフィルタ部２２に入力し、さらに制御部１６に入力する（図２参照）。
【０１２７】
制御部１６は、結束信号を受信することで、領域Ｆ１１〜Ｆ１４のいずれかにおいて第１導電膜２と第２導電膜４とが接触したことを検知できる。言い換えれば、制御部１６は結束信号を受信したことに応じて、領域Ｆ１１〜Ｆ１４からなるグループにおいて第１導電膜２と第２導電膜４とが接触したと判断する。
【０１２８】
また、領域Ｆ２１〜Ｆ２４、領域Ｆ３１〜Ｆ３４、及び領域Ｆ４１〜Ｆ４４もグループにまとめられ、それぞれ異なるマルチプレクサ及びフィルタに接続されている。
【０１２９】
次に、実施例４に係るタッチパネルの制御について説明する。図２７は実施例４に係るタッチパネルの制御を例示するフローチャートである。
【０１３０】
図２７に示すように、制御部１６はｍ＝１とする（ステップＳ１３０）。ステップＳ１３０の後、制御部１６はｍ列目においてタッチＯＮチェックを行う（ステップＳ１３１）。ステップＳ１３１の後、制御部１６はｍ列目においてタッチＯＮか判断する（ステップＳ１３２）。すなわち制御部１６は、複数のグループの各々ごとに、第１導電膜２と第２導電膜４とが接触したか判断する。Ｎｏの場合、制御は後述するステップＳ１３９に進む。
【０１３１】
Ｙｅｓの場合、制御部１６はｎ＝１とする（ステップＳ１３３）。ステップＳ１３３の後、制御部１６は領域ＦｍｎにおいてタッチＯＮチェックを行い（ステップＳ１３４）、領域ＦｍｎにおいてタッチＯＮか判断する（ステップＳ１３５）。
【０１３２】
Ｙｅｓの場合、制御部１６は、領域Ｆｍｎにおいて座標を検出する（ステップＳ１３６）。ステップＳ１３６の後、又はステップＳ１３５においてＮｏの場合、制御部１６はｎ＝ＭＡＸか判断する（ステップＳ１３７）。Ｙｅｓの場合、制御部１６はｎ＝ｎ＋１とし（ステップＳ１３８）、制御はステップＳ１３４に戻る。すなわち、ステップＳ１３２においてタッチＯＮか判断されたｍ列目に属する領域のうち、１つ後の行の領域においてステップＳ１３４〜Ｓ１３６の制御が行われることになる。
【０１３３】
ステップＳ１３７においてＮｏの場合、制御部１６はｍ＝ＭＡＸか判断する（ステップＳ１３９）。Ｙｅｓの場合、制御部１６はｍ＝ｍ＋１とし（ステップＳ１４０）、制御はステップＳ１３１に戻る。すなわち、ステップＳ１３２においてタッチＯＮか判断された列より、１つ後の列においてステップＳ１３１〜Ｓ１３９の制御が行われることになる。ステップＳ１３９においてＹｅｓの場合、制御は終了する。
【０１３４】
実施例４によれば、制御部１６は複数のグループの各々ごとに第１導電膜２と第２導電膜４とが接触したか判断し（図２７のステップＳ１３１、及びＳ１３２においてＹｅｓの場合）、接触したグループにおいては、座標を検出する動作を行う（ステップＳ１３４）。また制御部１６は、第１導電膜２と第２導電膜４とが接触していないグループにおいては、座標を検出する動作を行わない（ステップＳ１３２においてＮｏの場合）。このため、各領域について順次制御を行う場合よりも、タッチＯＮチェックや座標検出の制御の回数が少なくなる。従って、タッチパネルの高速化が可能となる。
【０１３５】
特に、図２３（ａ）及び図２３（ｂ）のように、引き出し配線が形成されている場合、複数の領域を引き出し配線を含むグループと、引き出し配線を含まないグループとにまとめて、グループごとに遮蔽周波数が異なるフィルタに接続することができる。これにより、領域ごとに電位差を補正しなくてよく、またフィルタの遮蔽周波数を変更しなくてよいため、タッチパネルのさらなる高速化が可能となる。
【０１３６】
また、ノード５１はグループを構成する領域の各々から送信される信号を１つの信号として結合し、１つに結合された信号が送信されたことに応じて、制御部１６はグループにおいて第１導電膜２と第２導電膜４とが接触したと判断する。従って、簡単な構成により、自動的に第１導電膜２と第２導電膜４とが接触したグループを判断でき、座標を検出する動作を行うことができる。
【０１３７】
実施例４では複数の領域を行ごとにグループにまとめた例について説明したが、グループの例はこれに限定されない。例えば列ごとにグループとしてもよい。つまり、複数のグループの各々は、複数の領域のうち一部の領域からなる。また、複数の領域は、引き出し配線を含むグループと、引き出し配線を含まないグループとにまとめられるとしたが、これに限定されない。
【０１３８】
次に実施例４の変形例について説明する。図２６（ｂ）及び図２６（ｃ）は実施例４の変形例に係る領域選択部を例示する図である。
【０１３９】
図２６（ｂ）に示すように、ダイオード５０の代わりに半導体スイッチ５２を用いてもよい。この場合、半導体スイッチ５２には制御部１６から制御信号が入力する。
【０１４０】
図２６（ｃ）に示すように、ダイオード５０の代わりに電磁開閉器５４を用いてもよい。この場合も、電磁開閉器５４には制御部１６から制御信号が入力する。
【実施例５】
【０１４１】
次に実施例５について説明する。図２８（ａ）は実施例５に係るタッチパネルの引き出し配線部分を例示する拡大図である（図２３（ａ）の点線部分参照）。
【０１４２】
図２８（ａ）に示すように、領域Ｆ３１は主領域Ｆ３１ａと引き出し配線Ｆ３１ｂとからなる。引き出し配線Ｆ３１ｂは、領域Ｆ４１と領域Ｆ４２との間に位置している。
【０１４３】
ここで、図中の斜線で示すように、領域Ｆ４１、Ｆ４２及び引き出し配線Ｆ３１ｂにおいて、第１導電膜２と第２導電膜４とが接触した場合を考える。これは、例えば指等により、第１導電膜２のうち領域Ｆ４１，引き出し配線Ｆ３１ｂ、及び領域Ｆ４２にまたがった箇所がタッチされた場合である。このとき、ユーザは１点を入力することを意図していても、３点に入力があったと判断されることがある。従って領域Ｆ３１において入力があったと判断され、タッチパネルが誤作動を起こす可能性がある。
【０１４４】
実施例５に係るタッチパネルは、各領域における座標の差が所定の範囲内である場合、１点が入力されたと判断して、座標を出力する。より詳しくはフローチャートを参照して説明する。図２９は実施例５に係るタッチパネルの制御を例示するフローチャートである。
【０１４５】
図２９に示すように、まず制御部１６は（図２参照）、領域ＦｍｎにおいてタッチＯＮチェックを行い（ステップＳ１４１）、領域ＦｍｎにおいてタッチＯＮか判断する（ステップＳ１４２）。すなわち制御部１６は、複数の領域ごとに第１導電膜２と第２導電膜４とが接触したか判断する。
【０１４６】
Ｙｅｓの場合、制御部１６は、領域Ｆｍｎにおいて第１導電膜２と第２導電膜４とが接触した点のＸ座標及びＹ座標を検出する（ステップＳ１４３）。ステップＳ１４３の後、制御部１６は、検出された複数のＸ座標及びＹ座標が、それぞれ所定の範囲内にあるか判断する（ステップＳ１４４）。Ｙｅｓの場合、制御部１６はステップ１４４において所定の範囲内にあるか判断した座標に基づき、座標を検出して、検出した座標を出力する（ステップＳ１４５）。ステップＳ１４５の後、又はステップＳ１４２においてＮｏの場合、及びステップＳ１４４においてＮｏの場合、制御は終了する。
【０１４７】
ステップＳ１４４及びＳ１４５の制御について、図２８（ａ）の例を参照し具体的に説明する。領域Ｆ４１（第３領域）において検出されたＸ座標及びＹ座標（第１の座標）をそれぞれ、Ｘ（Ｆ４１）、Ｙ（Ｆ４１）とする。同様に、領域Ｆ４２（第４領域）において検出された座標（第２の座標）をＸ（Ｆ４２）、Ｙ（Ｆ４２）とする。また、領域Ｆ３１（第５領域）の引き出し配線Ｆ３１ｂにおいて検出された座標（第３の座標）をＸ（Ｆ３１ｂ）、Ｙ（Ｆ３１ｂ）とする。
【０１４８】
ステップＳ１４４における所定の範囲をαとすると、制御部１６は｜Ｘ（Ｆ４１）−Ｘ（Ｆ４２）｜＜α、｜Ｘ（Ｆ４２）−Ｘ（Ｆ３１ｂ）｜＜α、｜Ｙ（Ｆ４１）−Ｙ（Ｆ４２）｜＜α、及び｜Ｙ（Ｆ４２）−Ｙ（Ｆ３１ｂ）｜＜αであるか判断する（ステップＳ１４４）。検出された座標が、上記の関係を満たす場合、制御部１６は１点において入力がされたと判断し、Ｘ（Ｆ４１）、Ｘ（Ｆ３１ｂ）及びＸ（Ｆ４２）に基づき、Ｘ座標（第４の座標）を出力する。また制御部１６は、Ｙ（Ｆ４１）、Ｙ（Ｆ３１ｂ）及びＹ（Ｆ４２）に基づき、Ｙ座標（第４の座標）を出力する（ステップＳ１４５）。すなわち、制御部１６は検出された３つの座標に基づき、１つの座標を出力する。
【０１４９】
実施例５によれば、引き出し配線を含む複数の領域において座標が検出された場合でも、検出された座標に基づき定めた座標を出力する。従って、タッチパネルの座標検出の精度が向上する。特に引き出し配線での入力は無視し、１点において入力があったと判断されるため、誤作動を抑制することが可能となる。
【０１５０】
ステップＳ１４５において、制御部１６は例えば領域Ｆ４１において検出された座標と領域Ｆ４２において検出された座標との、平均の座標を出力する。また、制御部１６は平均以外の座標を出力してもよい。また、Ｘ座標とＹ座標とで、共に所定の範囲をαとして説明したが、Ｘ座標とＹ座標とで所定の範囲が異なっていてもよい。
【０１５１】
次に実施例５の変形例について説明する。図２８（ｂ）は実施例５の変形例に係るタッチパネルの引き出し配線部分を例示する拡大図である（図２３（ａ）の点線部分参照）。
【０１５２】
図２８（ｂ）に網掛けで示すように、図２８（ａ）において説明した領域Ｆ４１、Ｆ４２、領域Ｆ３１の引き出し配線Ｆ３１ｂに加えて、さらに領域Ｆ３１の主領域Ｆ３１ａでも第１導電膜２と第２導電膜４とが接触した場合を考える。この場合、図中の黒点で示すように、斜線の領域と、網掛けの領域とにおいて検出された座標の平均の座標が出力されることがある。この場合、網掛けの領域で実際に入力が行われた点の座標が出力されない。従って、ユーザの意図しない入力がされたと判断され、タッチパネルが誤作動する可能性がある。実施例５の変形例では、実際に入力が行われた点の座標を出力する。より詳しくは図２９に示したフローチャート、及び図２８（ｂ）の例を参照して説明する。
【０１５３】
図２９のステップＳ１４１及びＳ１４２は既述したので説明を省略する。ステップＳ１４２の後、制御部１６は、Ｘ（Ｆ４１）、Ｙ（Ｆ４１）、Ｘ（Ｆ４２）、Ｙ（Ｆ４２）、Ｘ（Ｆ３１ｂ）、Ｙ（Ｆ３１ｂ）、及び領域Ｆ３１の主領域Ｆ３１ａにおいて第１導電膜２と第２導電膜４とが接触した点の座標であるＸ（Ｆ３１ａ）、Ｙ（Ｆ３１ａ）（第５の座標）を検出する（ステップＳ１４３）。
【０１５４】
ステップＳ１４３の後、制御部１６は検出された複数のＸ座標及びＹ座標が、それぞれ所定の範囲内にあるか判断する（ステップＳ１４４）。Ｙｅｓの場合、図２８（ａ）及び図２９で説明したように、制御部１６は領域Ｆ４１、Ｆ４２、領域Ｆ３１の引き出し配線Ｆ３１ｂにおいて検出された座標に基づき１つの座標を検出する。検出されたＸ座標及びＹ座標をそれぞれＸ（Ｆ４１，Ｆ４２）、Ｙ（Ｆ４１，Ｆ４２）とする。また制御部１６は、図２８（ｂ）の黒点の座標ｘ、ｙ（第６の座標）を検出する。ｘはＸ（Ｆ３１ａ）とＸ（Ｆ４１，Ｆ４２）との平均、ｙはＹ（Ｆ３１ａ）とＹ（Ｆ４１，Ｆ４２）との平均である。
【０１５５】
さらに制御部１６は、主領域Ｆ３１ａにおいて実際に第１導電膜２と第２導電膜４とが接触した点の座標であるＸ（Ｆ３１ａ）、Ｙ（Ｆ３１ａ）を、Ｘ（Ｆ４１，Ｆ４２）、ｘ、Ｙ（Ｆ４１，Ｆ４２）及びｙに基づき検出し、出力する（ステップＳ１４５）。具体的には、Ｘ（Ｆ４１ａ）＝２ｘ−Ｘ（Ｆ４１，Ｆ４２）、及びＹ（Ｆ４１ａ）＝２ｙ−Ｙ（Ｆ４１，Ｆ４２）とする。ステップＳ１４５の後、制御は終了する。
【０１５６】
実施例５の変形例によれば、図２８（ｂ）に示すように２箇所において座標が検出された場合でも、実際に入力があった点の座標を出力することができる。従って、タッチパネルの座標検出の精度が向上し、誤作動を抑制することが可能となる。
【０１５７】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【０１５８】
第１導電膜        ２
第２導電膜        ４
電極              ６，８，１０，１２
制御部            １６
電極制御部        １８
領域選択部        ２０
フィルタ部        ２２
マルチプレクサ    ３０，３２，３４，３６
プルダウン抵抗    ４０
フィルタ          ４２，４４，４６，４８
ダイオード        ５０
ノード            ５１
タッチパネル      １００，２００，２１０，３００
【図１】
0005567193.tif 000002
【図２】
0005567193.tif 000003
【図３】
0005567193.tif 000004
【図４】
0005567193.tif 000005
【図５】
0005567193.tif 000006
【図６】
0005567193.tif 000007
【図７】
0005567193.tif 000008
【図８】
0005567193.tif 000009
【図９】
0005567193.tif 000010
【図１０】
0005567193.tif 000011
【図１１】
0005567193.tif 000012
【図１２】
0005567193.tif 000013
【図１３】
0005567193.tif 000014
【図１４】
0005567193.tif 000015
【図１５】
0005567193.tif 000016
【図１６】
0005567193.tif 000017
【図１７】
0005567193.tif 000018
【図１８】
0005567193.tif 000019
【図１９】
0005567193.tif 000020
【図２０】
0005567193.tif 000021
【図２１】
0005567193.tif 000022
【図２２】
0005567193.tif 000023
【図２３】
0005567193.tif 000024
【図２４】
0005567193.tif 000025
【図２５】
0005567193.tif 000026
【図２６】
0005567193.tif 000027
【図２７】
0005567193.tif 000028
【図２８】
0005567193.tif 000029
【図２９】
0005567193.tif 000030